(57)【特許請求の範囲】
【請求項１】
外壁材と、その裏面側に設けられた外壁下地材とを有してなる外壁パネルを備えた建物において、前記外壁材の下方に水切部材が設けられる建物の水切構造であって、
前記外壁下地材において前記外壁材よりも下方にはみ出したはみ出し部分には、前記水切部材を引っ掛けた状態で支持する支持部材が固定されており、
前記水切部材は、前記支持部材に支持される被支持部と、該被支持部から延びる水切板部とを有し、前記水切板部の水切面を前記外壁材の外壁面に対して所定角度にすることで装着状態とされ、
前記水切板部の水切面を前記装着状態での角度から傾けた状態で、前記水切部材の被支持部を前記支持部材に対して着脱できるようにし、かつ前記被支持部が前記支持部材に支持された状態で、前記被支持部を回動中心として回動可能である構成となっており、
前記外壁材の下端面と前記支持部材との間に形成される隙間部分であって、前記被支持部を前記支持部材による所定の支持位置に案内する案内通路部を有し、
前記被支持部において前記案内通路部を通じて前記支持位置に案内される部位について、前記装着状態での上下寸法である第１寸法と前記傾けた状態での上下寸法である第２寸法とのうち、前記第１寸法は前記案内通路部の上下方向の上下間隔寸法よりも大きく、前記水切面を前記所定角度とした場合での前記被支持部の前記支持位置への案内が不可であり、前記傾けた状態にすることで、前記第２寸法が前記第１寸法よりも小さくなり、前記被支持部の前記支持位置への案内が可能となり、
前記被支持部は、前記装着状態で縦長となる略楕円状の断面形状を有し、
前記支持部材は、前記被支持部を収容する収容凹部と、前記外壁材の下端面の側に立ち上がるようにして設けられ前記収容凹部の屋外側面を形成する立ち上がり部とを有し、
前記被支持部には、当該被支持部が前記支持部材に支持された状態で前記水切部材を回動させるに際し、前記立ち上がり部の上端が入り込む凹部が設けられていることを特徴とする建物の水切構造。
【請求項２】
前記支持部材は、前記収容凹部を挟んで対向する２つの対向面部を備え、
前記被支持部は、断面内側に向けて変形可能であり、前記装着状態において前記２つの対向面部に接触した状態で、かつそれら２つの対向面部の間に圧縮状態で設けられていることを特徴とする請求項１に記載の建物の水切構造。
【請求項３】
前記被支持部には、前記支持部材に支持された状態において、前記装着状態となる回動位置で当該支持部材に係合する係合位置決め部が設けられていることを特徴とする請求項１又は２に記載の建物の水切構造。
【請求項４】
前記外壁材の下方において、前記外壁材の横幅方向に沿って前記外壁材の目地を跨るように延び、かつ屋外側に延びる水受け面を有する水受け部材を備え、
前記水受け部材には、前記水受け面よりも上方に前記支持部材が取り付けられていることを特徴とする請求項１乃至３のいずれか一項に記載の建物の水切構造。
【発明の詳細な説明】
【技術分野】
【０００１】
本発明は、建物の水切構造に関する。
【背景技術】
【０００２】
一般に、住宅等の建物では、外壁の下方に土台水切が設けられている。土台水切は、外壁を伝って流下する水を基礎よりも屋外側に導き排出するものである。これにより、外壁を伝って流下した雨水等が基礎の内側である床下空間に浸入するのを防止している。
【０００３】
例えばユニット式建物等のプレハブ住宅では、その外壁部分において、外壁材の裏面側に外壁下地材を予め組み付けてなる外壁パネルが用いられる。この種の外壁パネルを備える建物では、外壁パネルの外壁下地材の下端部に土台水切が取り付けられることが多い。この場合、外壁下地材において外壁材よりも下方に延出した部分に、土台水切がビスにより取り付けられる。
【０００４】
しかしながら、かかる構成では、ビスが屋外側に露出することとなり、建物の美観が損なわれるおそれがある。また、そもそも水切部材が取り付けられる外壁パネル下端と基礎との間の空間は狭小となっているため、ビスの取り付け作業がしづらいという問題があった。そこで、この対策として、特許文献１には、まず外壁パネルの下地フレームに上側に開口した溝部を有する支持部材をビスで先付けしておき、その後土台水切を、該水切が有する挿入部を支持部材の溝部に上方から挿入して引っ掛けることで、支持部材に対し該支持部材（さらにはそれを固定しているビス）を覆った状態で取り付ける構成が開示されている。これによれば、建物の美観が損なわれるのを回避しつつ、土台水切の着脱を容易とすることができる。
【先行技術文献】
【特許文献】
【０００５】
【特許文献１】特開２０１０−１７４５９５号公報
【発明の概要】
【発明が解決しようとする課題】
【０００６】
ところで、土台水切は外壁パネルの下方に設置されるものであるため、外壁に近接して屋外設備を設置したり、外壁近くを人が移動したりする際に、屋外設備や人の足が土台水切に接触してしまうことが考えられる。このような場合、土台水切の挿入部を支持部材の溝部に上方から挿入し引っ掛けることで、土台水切を支持部材に対し着脱自在とした上記の構成では、土台水切が容易に支持部材から脱落してしまうことが想定され、その場合外壁パネルを伝って流下する雨水等の水が基礎の内側に入り込み種々の不都合（床下における湿度の高まり等）を招くおそれがある。
【０００７】
本発明は、上記事情に鑑みてなされたものであり、水切部材を着脱可能としつつも、水切部材への接触により水切部材が脱落するのを抑制できる建物の水切構造を提供することを主たる目的とするものである。
【課題を解決するための手段】
【０００８】
上記課題を解決すべく、第１の発明の建物の水切構造は、外壁材と、その裏面側に設けられた外壁下地材とを有してなる外壁パネルを備えた建物において、前記外壁材の下方に水切部材が設けられる建物の水切構造であって、前記外壁下地材において前記外壁材よりも下方にはみ出したはみ出し部分には、前記水切部材を引っ掛けた状態で支持する支持部材が固定されており、前記水切部材は、前記支持部材に支持される被支持部と、該被支持部から延びる水切板部とを有し、前記水切板部の水切面を、前記外壁材の外壁面に対して所定角度にすることで装着状態とされ、前記水切板部の水切面を前記装着状態での角度から傾けた状態で、前記水切部材の被支持部を前記支持部材に対して着脱できるようにし、かつ前記被支持部が前記支持部材に支持された状態で、前記被支持部を回動中心として回動可能である構成としたことを特徴とする。
【０００９】
本発明によれば、外壁下地材のはみ出し部に固定された支持部材に水切部材の被支持部が引っ掛け支持された状態で、水切部材の水切面が外壁材の外壁面に対し所定角度とされることで、水切部材が建物側に装着される。そして、水切部材の水切面が、その装着状態での角度から傾けた状態（以下、傾け状態という）とされることで、被支持部が支持部材に対し着脱可能となる。かかる構成において、装着状態にある水切部材を支持部材から取り外す際には、まず水切部材を、被支持部を回動中心として傾け状態まで回動させ、その後かかる状態で被支持部を支持部材から取り外すこととなる。すなわち、この場合、水切部材の回動及び被支持部の取り外しという２段階の動作により、水切部材を取り外す構成となっているため、例えば外壁近くにいる人の脚等が水切部材に接触したとしても、水切部材が容易に外れることを抑制できる。したがって、水切部材を着脱可能としつつも、水切部材への接触により水切部材が脱落するのを抑制できる。
【００１０】
第２の発明の建物の水切構造は、第１の発明において、前記外壁材の下端面と前記支持部材との間に形成される隙間部分であって、前記被支持部を前記支持部材による所定の支持位置に案内する案内通路部を有し、前記被支持部において前記案内通路部を通じて前記支持位置に案内される部位について、前記装着状態での上下寸法である第１寸法と前記傾けた状態での上下寸法である第２寸法とのうち、前記第１寸法は前記案内通路部の上下方向の上下間隔寸法よりも大きく、前記水切面を前記所定角度とした場合での前記被支持部の前記支持位置への案内が不可であり、前記傾けた状態にすることで、前記第２寸法が前記第１寸法よりも小さくなり、前記被支持部の前記支持位置への案内が可能となることを特徴とする。
【００１１】
本発明によれば、外壁材の下端面と支持部材との間に形成された案内通路部を通じて被支持部を支持部材による支持位置に案内できる。水切部材の装着状態では、被支持部において案内通路部を通じて支持位置に案内される部位（以下、案内部位という）の上下寸法（第１寸法）が案内通路部の上下間隔寸法よりも大きくなり、そのため水切面を所定角度とした状態で案内部位を案内通路部を通じて支持位置に案内できなくなる。この場合、被支持部は支持部材に対して着脱不能となる。一方、水切部材の傾け状態では、案内部位の上下寸法（第２寸法）が第１寸法よりも小さくなり、案内通路部を通じて案内部位を支持位置に案内可能となる。この場合、被支持部が支持部材に対して着脱可能となる。つまり、本構成では、水切部材を装着状態から傾けた状態とすることで被支持部を着脱可能とする上述の構成が、建物に設置された外壁材を利用して構築されており、そのため構成の煩雑化を抑制しつつ上記第１の発明の効果を得ることができる。
【００１２】
第３の発明の建物の水切構造は、第２の発明において、前記被支持部は、前記装着状態で縦長となる略楕円状の断面形状を有し、前記支持部材は、前記被支持部を収容する収容凹部を有していることを特徴とする。
【００１３】
本発明によれば、被支持部の断面形状が楕円形をなしていることから被支持部の外周面が曲面状をなしており、そのため、被支持部を回動中心として水切部材を回動させるに際し、被支持部の外周面が支持部材に引っ掛かるのを抑制できる。これにより、水切部材の着脱作業を好適に行うことができる。また、水切部材の装着状態では、被支持部が支持部材の収容凹部において縦長状態で収容されるため、被支持部について上下方向の圧縮に対する強度を高めることができ、被支持部が上下につぶれる等の変形を抑制できる。このため、水切部材を安定した状態で装着することができる。
【００１４】
第４の発明の建物の水切構造は、第３の発明において、前記支持部材は、前記外壁材の下端面の側に立ち上がるようにして設けられ前記収容凹部の屋外側面を形成する立ち上がり部を有し、前記被支持部には、当該被支持部が前記支持部材に支持された状態で前記水切部材を回動させるに際し、前記立ち上がり部の上端が入り込む凹部が設けられていることを特徴とする。
【００１５】
本発明によれば、被支持部を支持部材に支持させた状態で、被支持部を回動中心として水切部材を回動させる際、その回動を被支持部の凹部に立ち上がり部の上端を入り込ませた（引っ掛けた）状態で行うことができる。この場合、当該引っ掛け部分を回動中心として水切部材を回動させることができるため、水切部材を所定の回動方向に自ずと導くことができ、水切部材の着脱作業を容易とすることができる。
【００１６】
また、上記の構成では、被支持部が着脱可能となる水切部材の傾け状態においても、凹部には立ち上がり部の上端部が入り込んだままであるため、万が一、水切部材への接触により水切部材が回動し傾け状態に移行したとしても、水切部材が支持部材から容易に脱落するのを防止できる。
【００１７】
第５の発明の建物の水切構造は、第３又は第４の発明において、前記支持部材は、前記収容凹部を挟んで対向する２つの対向面部を備え、前記被支持部は、断面内側に向けて変形可能であり、前記装着状態において前記２つの対向面部に接触した状態で、かつそれら２つの対向面部の間に圧縮状態で設けられていることを特徴とする。
【００１８】
本発明によれば、被支持部が収容凹部を挟んで対向する２つの対向面部の間に圧縮状態で挟み込まれているため、被支持部を支持部材に対してある程度の強度で結合できる。これにより、水切部材の脱落をより一層抑制することができる。
【００１９】
第６の発明の建物の水切構造は、第１乃至第５のいずれかの発明において、前記被支持部には、前記支持部材に支持された状態において、前記装着状態となる回動位置で当該支持部材に係合する係合位置決め部が設けられていることを特徴とする。
【００２０】
回動を伴う水切部材の装着作業が行われる場合、回動位置が適正でないと、水切部材の水切面が所定角度（例えば鉛直）にならないおそれがある。その点本発明によれば、水切部材を回動させて装着状態とする際に、該装着状態となる所定の回動位置で被支持部の係合位置決め部が支持部材に係合される。そのため、上記不都合を防止しつつ水切部材を装着できる。
【００２１】
第７の発明の建物の水切構造は、第１乃至第６のいずれかの発明において、前記外壁材の下方において、前記外壁材の横幅方向に沿って前記外壁材の目地を跨るように延び、かつ屋外側に延びる水受け面を有する水受け部材を備え、前記水受け部材には、前記水受け面よりも上方に前記支持部材が取り付けられていることを特徴とする。
【００２２】
水切部材を支持部材に引っ掛け支持することで着脱自在とした上記の構成では、水切部材を建物側（例えば外壁下地材のはみ出し部等）に直接固定する構成とは異なり、水切部材よりも屋内側への水の回り込みが懸念される。特に、外壁材の目地を通って流下する水は、外壁面よりも屋内側に流れ落ちるため、上記回り込みが生じ易いことが想定される。そこで、本発明ではこの点に鑑みて、外壁材の下方にて、外壁材の目地を跨るようにして延びる水受け面を有する水受け部材を設けた。この水受け面は、屋外側にも延びており、仮に外壁材の目地を通じて流下する水が水切部材よりも屋内側に回り込んだとしても、その水を水受け面により受けて基礎よりも屋外側に排出できる。これにより、水切部材を着脱自在とした構成においても、基礎内側への水の浸入を確実に防止できる。
【図面の簡単な説明】
【００２３】
【図１】建物の水切構造とその周辺部を示す縦断面図。
【図２】土台水切を建物側から取り外した状態を示す斜視図。
【図３】土台水切の装着手順を説明するための説明図。
【図４】別例における建物の水切構造とその周辺部を示す縦断面図。
【図５】別例における建物の水切構造を示す縦断面図。
【図６】別例における建物の水切構造を示す模式図。
【発明を実施するための形態】
【００２４】
以下、本発明を具体化した一実施形態を図面に基づいて説明する。本実施形態では、鉄骨ラーメン構造によるユニット式建物に本発明を具体化しており、そのユニット式建物は、周知のとおり複数の建物ユニットを結合させて構築されるものとなっている。これらの建物ユニットは、それぞれ工場にてあらかじめ製造され、その後、建築現場にトラック等により運搬されて当該建築現場において結合される。建物ユニットについて簡単に説明すると、建物ユニットは、各々長方形状に組み付けられる四辺の床大梁及び天井大梁と、床大梁及び天井大梁を四隅で連結する柱とを有しており、これらにより直方体状の骨格（フレーム）が形成されている。
【００２５】
かかるユニット式建物におけるその水切構造とその周辺部分等を含む構成について、図１を参照しながら説明する。なお、図１は建物の水切構造とその周辺部を示す縦断面図である。
【００２６】
図１に示すように、地盤部分には基礎１１が設けられ、同基礎１１の上には、建物一階部分を形成する建物ユニットの床大梁１２が設置されている。床大梁１２は断面コ字状の溝形鋼よりなり、その開口部が屋内側を向くようにして設置されている。
【００２７】
床大梁１２のウエブ部１２ａには、外壁パネル１３が取り付けられている。外壁パネル１３は、断面コ字状の軽量形綱（軽溝形綱）よりなる下地フレーム１４と、その下地フレーム１４に固定される矩形平板状の外壁材（窯業系サイディング板等）１５とを備え、それら下地フレーム１４と外壁材１５とがタッピングネジ等により接合固定されている。下地フレーム１４の下枠部１４ａは相対向する内側フランジ部Ｆ１及び外側フランジ部Ｆ２を有しており、内側フランジ部Ｆ１を床大梁１２のウエブ部１２ａに当接させた状態で両者がボルト１７及びナット１８により接合固定されている。なお、図面上には現れていないが、下地フレーム１４の上枠部は天井大梁のウエブ部に対してこれと同様に固定されている。したがって、このように下地フレーム１４が床大梁１２及び天井大梁に固定されることにより、外壁パネル１３が建物ユニットに固定されている。
【００２８】
ちなみに、ユニット式建物では、複数の外壁パネル１３が横並びの状態で組み付けられている。隣接する外壁パネル１３がその下地フレーム１４同士で接合され、ボルト及びナット等の締結具により互いに連結固定されるようになっている。
【００２９】
外壁パネル１３の外壁材１５の下方には、土台水切２０が設けられている。以下、この土台水切２０の設置構成にについて図１に加え図２を参照しつつ説明する。図２は、土台水切２０を建物側から取り外した状態を示す斜視図である。
【００３０】
図１及び図２に示すように、土台水切２０は、外壁パネル１３の横幅方向（換言すると下地フレーム１４の下枠部１４ａの長手方向）に沿った長尺状とされており、例えばアルミニウム製の押し出し成形品からなる。土台水切２０は、上下方向に延びる縦板部２８と、縦板部２８の上端部から屋内側に向かって上方傾斜する傾斜板部２９とを備える。縦板部２８は、外壁材１５（詳しくはその外壁面）よりも屋外側に位置しており、その外側面が外壁材１５の外壁面と略平行とされた水切面３３となっている。また、縦板部２８は、その下端部によって基礎１１の上端部が隠れるように、基礎１１の天端３５よりも下方まで延びている。より詳しくは、縦板部２８は、上下方向の途中に設けられた段差部３２により上側板部２８ａと下側板部２８ｂとに分けられており、上側板部２８ａが下側板部２８ｂよりも屋外側に位置している。なお、縦板部２８及び傾斜板部２９により水切板部が構成されている。
【００３１】
また、縦板部２８の水切面３３は、必ずしも外壁材１５の外壁面と平行とする必要はなく、縦板部２８を鉛直方向に対し所定角度傾斜させることで、水切面３３を外壁面に対し傾斜させてもよい。
【００３２】
傾斜板部２９は、その屋内側の端部が外壁材１５の外壁面よりも屋内側に位置している。この場合、外壁材１５の外壁面を伝って流下した水はまず土台水切２０において傾斜板部２９上に落ち、その後傾斜板部２９の表面を伝って縦板部２８の水切面３３に導かれる。これにより、土台水切２０により外壁材１５を伝って流下した雨水等が基礎１１よりも屋外側に排出されるようになっている。
【００３３】
一方、下地フレーム１４の下枠部１４ａ（詳細には外側フランジ部Ｆ２）において外壁材１５よりも下方にはみ出した部分（以下、はみ出し部１９という）には、その屋外側面に、土台水切２０を着脱自在に取り付けるためのブラケット２１が固定されている。ブラケット２１は、ステンレス等の鋼板が折り曲げ形成されてなり、下地フレーム１４の下枠部１４ａの長手方向に沿って所定の間隔で複数取り付けられている。
【００３４】
ブラケット２１は、下枠部１４ａのはみ出し部１９と平行な板面を有する鉛直板部２３と、鉛直板部２３の下端部から屋外側に延びる底板部２４と、底板部２４の屋外側端部から上方に立ち上がる立ち上がり板部２５とを有する。ブラケット２１において、各板部２３〜２５により囲まれた内側部分は上方に開口された溝部２６となっている。
【００３５】
ブラケット２１の鉛直板部２３は、下枠部１４ａのはみ出し部１９にビス４１により取り付けられている。なお、このビス４１は、鉛直板部２３に形成された挿通孔５９を通じてはみ出し部１９に打ち付けられている。また、詳細には、鉛直板部２３は、後述する水受け部材５１（詳しくはその取付板部５２）を下枠部１４ａのはみ出し部１９との間に介在させた状態ではみ出し部１９に取り付けられている。
【００３６】
続いて、ブラケット２１に土台水切２０を取り付けるための取付構成について説明する。
【００３７】
土台水切２０において、傾斜板部２９の屋内側端部（上端部でもある）には、ブラケット２１に支持される被支持部３７が設けられている。被支持部３７は、傾斜板部２９から下方（すなわち、縦板部２８が水切先端に延びる方向と同方向）に突出して設けられており、土台水切２０の長手方向に延びる長尺状とされている。詳しくは、被支持部３７は、土台水切２０の長手方向全域に亘って形成されている。被支持部３７は、縦長となる略楕円形の断面形状を有し、かつ、中空状（換言すると略筒状）をなしている。
【００３８】
被支持部３７は、その一部（この部分を以下、挿入部３８という）がブラケット２１の溝部２６に挿入されて引っ掛けられており、その引っ掛け状態においてブラケット２１により支持されている。そして、かかる被支持部３７の支持状態において、土台水切２０はブラケット２１に対して装着されている。土台水切２０は、かかる装着状態において、ブラケット２１及び水受け部材５１（さらにはビス４１）を屋外側から覆い隠しており、これにより、建物の美観が損なわれるのが防止されている。
【００３９】
続いて、被支持部３７周辺の構成について詳細に説明する。被支持部３７（詳細には挿入部３８）は、溝部２６に挿入された状態において鉛直板部２３と立ち上がり板部２５とにより挟み込まれて設けられている。より詳しくは、この被支持部３７の挿入状態において、立ち上がり板部２５が若干屋外側に撓んだ状態となっており、それ故被支持部３７は鉛直板部２３と立ち上がり板部２５とにより押圧された状態で設けられている。また、被支持部３７の挿入部３８は、立ち上がり板部２５に対して係合された状態とされている。そのため、挿入部３８は屋外側への移動が規制されており、ひいては土台水切２０の屋外側への回動が規制されている。この場合、挿入部３８が、係合位置決め部に相当する。
【００４０】
被支持部３７の外周面には、屋外側に開口された凹部３９が設けられている。この凹部３９には、ブラケット２１の立ち上がり板部２５の上端部が入り込んでいる。この点について詳しくは、立ち上がり板部２５は、高さ方向の途中で折り曲げられて、折り曲げ部分よりも下側部分２５ａが屋外側に向けて上方傾斜している一方、上側部分２５ｂが屋内側に向けて上方傾斜している。そして、その上方傾斜した上側部分２５ｂの上端が凹部３９に入り込んだ状態となっている。なお、立ち上がり板部２５は、折り曲げ形状を有していることから、比較的容易に上下に撓ませる（詳しくは立ち上がり高さを小さくするように撓ませる）ことが可能となっている。
【００４１】
また、土台水切２０のブラケット２１への装着状態において、被支持部３７の上下長さＬ１（以下、第１寸法Ｌ１ともいう）は、ブラケット２１の立ち上がり板部２５の上端と外壁材１５の下端との間の隙間Ｈ（以下、単に隙間Ｈという）よりも大きくなっている。そのため、被支持部３７をそのまま（詳しくは土台水切２０の水切面３３を外壁面と平行としたまま）隙間Ｈを通じて屋外側に引き出すことが不能となっている。なお、上記隙間Ｈが、案内通路部に相当する。
【００４２】
それに対し、土台水切２０をブラケット２１に対して着脱させる場合には、後述するように、装着状態での土台水切２０の角度（姿勢）に対して土台水切２０が角度α（以下、傾斜角度αともいう）だけ傾けられるようになっている（図３（ｂ）参照）。ここで、被支持部３７において、水平方向に対し上記の角度αをなして傾斜する（詳細にはその傾斜は屋内側へ向かっての上方傾斜）方向の長さＬ２（以下、第２寸法Ｌ２ともいう。この第２寸法Ｌ２は第１寸法Ｌ１よりも小さい寸法となっている。）は、上記隙間Ｈよりも若干大きくなっており、土台水切２０を傾斜角度αだけ回動した場合には、その第２寸法Ｌ２が被支持部３７の上下長さとなる。すなわち、かかる傾け状態では、上記装着状態と同様に、被支持部３７の上下高さが隙間Ｈよりも大きくなる。しかしながら、この場合には、被支持部３７を屋内外方向に移動させることで、被支持部３７により立ち上がり板部２５を撓ませることができ、その結果上記隙間Ｈを第２寸法Ｌ２よりも大きくできる。そのため、被支持部３７（詳細には挿入部３８）を隙間Ｈを通じて挿通させることが可能となり、ひいては被支持部３７をブラケット２１に対して着脱することが可能となる。
【００４３】
なお、被支持部３７の第２寸法Ｌ２は隙間Ｈよりも小さい寸法としてもよく、その場合、被支持部３７を隙間Ｈに挿通させる際、立ち上がり板部２５を撓ませることなく挿通させることが可能となる。そのため、かかる挿通作業をし易くすることができる。また、上記傾斜角度αは９０°よりも小さい角度に設定されており、本実施形態では約５０°となっている。
【００４４】
土台水切２０には、縦板部２８の下端部付近に、屋内側に短く延びる鼠返し取付部６１が設けられている。鼠返し取付部６１は、その端部と基礎１１との隙間において床下換気が行える程度の長さ寸法（奥行寸法）に設定されている。鼠返し取付部６１には、土台水切２０に沿って長尺状に形成された鋼板製の鼠返し板部６２が取り付けられている。これにより、土台水切２０は、鼠返し板部６２と一体化されている。また、鼠返し板部６２には、外壁パネル１３の横幅方向に所定の間隔で矩形形状の通気孔６３が複数形成されている。これにより、鼠返し板部６２が設けられているにもかかわらず、床下の湿った空気が通気孔６３を通って屋外へ排出され好適な床下換気が行われるようになっている。
【００４５】
外壁材１５の下方には、上述した土台水切２０の他に、水受け部材５１が取り付けられている。水受け部材５１は、ステンレス等の鋼板からなる。水受け部材５１は、下地フレーム１４の下枠部１４ａに沿って長尺状に形成されており、外壁材１５の下方において複数の外壁材１５に跨って設けられている。
【００４６】
水受け部材５１は、下枠部１４ａの外側フランジ部Ｆ２のはみ出し部１９への取付板部５２と、取付板部５２の下端部から屋外側に延びる水平板部５３とを備える。水受け部材５１は、取付板部５２がはみ出し部１９とブラケット２１の鉛直板部２３との間に挟み込まれた状態で、かつ、水平板部５３がブラケット２１（底板部２４）の下面に下側から重ね合わせられた状態で設けられている。水受け部材５１の取付板部５２は、その上端部が外壁材１５の下端部に当接された状態で、はみ出し部１９に対しビス４１により取り付けられている。詳しくは、ビス４１は、ブラケット２１の挿通孔５９及び取付板部５２の挿通孔６６に挿通された状態ではみ出し部１９に打ち付けられており、これによりブラケット２１及び水受け部材５１がはみ出し部１９に固定されている。
【００４７】
なお、本実施形態では、水受け部材５１と各ブラケット２１とが予め溶接等により一体化されており、これら両部材２１，５１をはみ出し部１９にビス４１で取り付ける作業がし易くなっている。但し、必ずしも両部材２１，５１を予め一体化する必要はなく、別体状態の各部材２１，５１をビス４１で固定するようにしてもよい。
【００４８】
水平板部５３は、水受け面５７を有しており、ブラケット２１の下方において、当該ブラケット２１よりも屋外側まで延びている。なおこの場合、水平板部５３の屋外側端部は基礎１１よりも屋外側に位置している。具体的には、水平板部５３は、ブラケット２１の底板部２４の下面に当接されており、これにより、底板部２４の下方への変位（撓み）が規制されている。この場合、土台水切２０の自重等により底板部２４が下方に撓み上記隙間Ｈが広がるのを抑制できるため、隙間Ｈの広がりに伴い土台水切２０が脱落し易くなるのを抑制できる。また、水平板部５３の屋外側端部には、当該端部から垂下された垂下板部５４が設けられている。
【００４９】
ここで、雨水等の水は外壁材１５において外壁面を伝って流下するだけでなく、隣接する外壁材１５の間の目地５６を通じて流下することもある。目地５６を伝って水が流下した場合、土台水切２０をブラケット２１に着脱自在に取り付けた上記の構成では、土台水切２０の被支持部３７とはみ出し部１９との間を通じて水が土台水切２０の屋内側に入り込む可能性がある。この点、上記水受け部材５１を設けた構成では、その入り込んだ水を水受け面５７により受け、基礎１１の屋外側に排出することができる。
【００５０】
なお、水受け部材５１は、必ずしも長尺状とする必要はなく短尺状としてもよい。その場合でも、水受け部材を外壁材１５の目地５６の下方位置にそれぞれ配置すれば、目地５６を通じて流下した水を基礎１１の屋外側に排出できる。
【００５１】
また、水受け部材５１の取付板部５２と下枠部１４ａの外側フランジ部Ｆ２との間に、塩化ビニル樹脂等からなる防水シートを介在させてもよい。そうすれば、水受け部材５１と下枠部１４ａとの間を通じて水が浸入するのを確実に防止できる。
【００５２】
次に、土台水切２０をブラケット２１に対して着脱する際の作業手順を説明する。まず、土台水切２０をブラケット２１に装着する際の作業手順を図３に基づいて説明する。なお、図３は、土台水切２０の装着手順を説明する説明図である。
【００５３】
図３（ａ）には、ブラケット２１と水受け部材５１とが下地フレーム１４の下枠部１４ａのはみ出し部１９に取り付けられた（先付けされた）状態を示している。この状態において、まず図３（ｂ）に示すように、土台水切２０（鼠返し板部６２を含む）の被支持部３７を、外壁材１５の下端とブラケット２１の立ち上がり板部２５との間の隙間Ｈに挿入する作業を行う。この作業では、まず土台水切２０の縦板部２８の水切面３３を外壁材１５の外壁面（換言すると、土台水切２０の装着状態における水切面３３）に対して傾斜角度αだけ下方に傾けた状態とする。詳細には、水切面３３が屋内側に向かって下方傾斜する向きに傾ける（以下、土台水切２０のかかる状態を傾け状態という）。この傾け状態では、被支持部３７の上下高さが、隙間Ｈよりも若干大きい第２寸法Ｌ２となる。
【００５４】
そして、この傾け状態で、被支持部３７を隙間Ｈに挿入する。被支持部３７が隙間Ｈに挿入されるとブラケット２１の立ち上がり板部２５が撓み、隙間Ｈが第２寸法Ｌ２よりも大きくなるため、かかる隙間Ｈへの挿入が可能となる。これにより、被支持部３７の挿入部３８がブラケット２１の溝部２６上に配置され、被支持部３７の凹部３９にブラケット２１の立ち上がり板部２５の上端部が入り込んだ状態となる。そして、この状態で被支持部３７は、ブラケット２１により支持される。
【００５５】
続いて、図３（ｃ）に示すように、被支持部３７がブラケット２１に支持された状態で、土台水切２０を、被支持部３７を回動中心として屋外側に傾斜角度αだけ回動させる。これにより、被支持部３７（詳細には挿入部３８）がブラケット２１の溝部２６に挿入され、土台水切２０がブラケット２１に対して装着される。ここで、土台水切２０の回動は、凹部３９に立ち上がり板部２５の上端が入り込んだ（引っ掛かった）状態で行われる。すなわち、凹部３９において立ち上がり板部２５が入り込んだ部分を回動中心として土台水切２０の回動が行われるため、被支持部３７が自ずと溝部２６の側へ導かれ、被支持部３７の溝部２６への挿入がし易くなっている。
【００５６】
また、土台水切２０の回動は挿入部３８が立ち上がり板部２５に係合されるまで行う。土台水切２０をかかる係合位置まで回動させると、その水切面３３が、外壁材１５の外壁面と略平行となり、土台水切２０がブラケット２１に装着される状態となる。したがって、この場合、土台水切２０を回動し過ぎて所定の回動位置を越えてしまうといった不都合を防止でき、土台水切２０をブラケット２１に装着する作業を好適に行うことができる。また、水切面３３が所定の角度（つまり外壁面と略平行となる角度）とは異なる角度状態で土台水切２０が装着されて、水切機能が損なわれる等の不都合が生ずるのを回避できる。
【００５７】
以上をもって、土台水切２０のブラケット２１に対する装着作業が終了する。
【００５８】
次に、土台水切２０をブラケット２１から取り外す場合の手順を説明する。土台水切２０の取り外し手順は、基本的に上述した装着手順と逆の手順となる。
【００５９】
取り外しに際してはまず、ブラケット２１に装着されている土台水切２０を、被支持部３７を回動中心として屋内側に傾斜角度αだけ回動させる。これにより、被支持部３７（詳細には挿入部３８）がブラケット２１の溝部２６から外れ、土台水切２０が傾け状態（図３（ｂ）に示す状態）となる。なお、この回動に際しても、上述した土台水切２０の装着時における回動と同様、凹部３９にブラケット２１の立ち上がり板部２５上端が入り込んだ状態で回動が行われるため、土台水切２０を所定の回動方向に導き易い。
【００６０】
また、土台水切２０の傾け状態では、被支持部３７の凹部３９に立ち上がり板部２５上端が入り込んでおり、被支持部３７が立ち上がり板部２５上端に引っ掛けられた状態となっている。したがって、仮に、外壁近くにいる人の脚等が土台水切２０に接触し、土台水切２０が傾け状態となるまで回動したとしても、土台水切２０が容易にブラケット２１から脱落するのが防止されている。
【００６１】
次に、土台水切２０を屋外側に移動させて、被支持部３７をブラケット２１から取り外す作業を行う。この取り外し作業は、土台水切２０を傾け状態としたまま行う。具体的には、土台水切２０を若干上方に持ち上げ、凹部３９に対する立ち上がり板部２５の引っ掛かりを解除した状態で、土台水切２０を屋外側に移動させる。これにより、土台水切２０の被支持部３７が隙間Ｈを通過し、土台水切２０がブラケット２１から取り外される。なお、上述した土台水切２０の装着の場合と同様、被支持部３７を隙間Ｈに通過させる際には、被支持部３７により立ち上がり板部２５を撓ませ隙間Ｈを拡げながら行う。以上をもって、土台水切２０の取り外し作業が終了する。
【００６２】
このように、上述した土台水切２０の着脱構成では、土台水切２０の回動と被支持部３７のブラケット２１からの取り外しという２つの動作を経て、土台水切２０がブラケット２１から取り外されるため、土台水切２０を着脱自在としながらも、土台水切２０が接触等によりブラケット２１から脱落するのを抑制できる、
以上、詳述した本実施形態の構成によれば、以下の優れた効果が得られる。
【００６３】
被支持部３７を、土台水切２０の装着状態において縦長となる略楕円形の断面形状を有して形成した。この場合、被支持部３７の外周面が曲面状をなしており、そのため、被支持部３７を回動中心として土台水切２０を回動させるに際し、被支持部３７の外周面がブラケット２１に引っ掛かるのを抑制できる。これにより、土台水切２０の着脱作業を好適に実施できる。また、土台水切２０の装着状態では、被支持部３７の断面が縦長となるため、被支持部３７について上下方向の圧縮に対する強度を高めることができ、被支持部３７が上下につぶれる等の変形を抑制できる。このため、土台水切２０を安定した状態でブラケット２１に装着できる。
【００６４】
土台水切２０をブラケット２１に対して着脱自在に取り付ける構成としたため、土台水切２０が劣化したり破損したり場合でも、容易に新品と交換できる。また、外壁パネル１３をリフォームにより取り替えたりする際等、土台水切２０を一旦取り外す必要がある場合にも容易に取り外せるため都合がよい。
【００６５】
さらに、外壁材１５の下端と基礎１１（天端３５）との間から床下空間を点検する場合があるが、この場合にも土台水切２０を着脱自在とした上記の構成は便利である。また、土台水切２０の上端部（被支持部３７）をブラケット２１に引っ掛け支持する上記構成では、外壁材１５の下方に配置されるブラケット２１の上下長さを比較的短くできるため、外壁材１５の下方空間を広く確保でき、床下空間の点検を好適に行うことが可能となる。
【００６６】
土台水切２０に、鼠返し板部６２を一体に設けた。この場合、土台水切２０に、水切機能に加えて、床下等への小動物の侵入を阻止する小動物侵入阻止機能を付加できる。
【００６７】
本発明は上記実施形態に限らず、例えば次のように実施されてもよい。
【００６８】
（１）図４に示すように、水切部材７０の被支持部７１をゴム材により形成し、土台水切２０の装着状態において、被支持部７１をブラケット２１における鉛直板部２３と立ち上がり板部２５との間に圧縮状態で挟み込むようにしてもよい。この場合、被支持部７１をブラケット２１に対してある程度の強度で結合でき、水切部材７０の脱落をより一層抑制することができる。なお、被支持部７１をゴム材に代えて、弾性を有する樹脂材料等その他の変形可能な材料により形成してもよい。
【００６９】
（２）支持部材により水切部材の被支持部を引っ掛け支持するための構成を変更してもよい。例えば、上記実施形態では、被支持部３７を凸状、ブラケット２１（支持部材）を凹状（すなわち溝部２６）とし、被支持部３７をブラケット２１の溝部２６に挿入することで、被支持部３７を引っ掛け支持する構成としたが、これを変更して、支持部材側を凸状、被支持部側を凹状として、被支持部側の凹部を支持部材側の凸部に引っ掛けることで、被支持部を引っ掛け支持する構成としてもよい。その一例を図５に示す。図５（ａ）の構成では、下地フレーム１４の下枠部１４ａのはみ出し部１９に、土台水切８０を引っ掛け支持する支持部材８１が設けられている。支持部材８１は、下枠部１４ａの長手方向に沿って延びる棒状をなしており、図示しない複数の固定金具を介してはみ出し部１９に固定されている。支持部材８１は、上下方向の長さＤ１よりも屋内外方向の長さＤ２が長い縦断面形状を有している。
【００７０】
一方、土台水切８０において傾斜板部２９の屋内側端部には、支持部材８１に引っ掛け支持される被支持部８３が設けられている。被支持部８３は、土台水切８０の長手方向ほぼ全域に形成されている。但し、被支持部８３は、上述した支持部材８１の固定金具に対応する部位には形成されておらず、当該固定金具との干渉が回避されている。被支持部８３は、略Ｕ字状の縦断面を有しており、その開口を下向きにして設けられている。具体的には、被支持部８３は、上下に延びるとともに、屋内外方向に対向して設けられた一対の対向板部８４，８５と、各対向板部８４，８５の上端部間を繋ぐ繋ぎ板部８６とを備え、これら各板部８４〜８６により囲まれた内側は溝部８９となっている。
【００７１】
各対向板部８４，８５には、上下方向の途中に段差部８８が設けられており、この段差部８８により各々の対向板部８４，８５は段差部８８よりも下側部分８４ａ，８５ａが上側部分８４ｂ，８５ｂよりも内側に配置されている。したがって、各対向板部８４，８５の間の離間距離、すなわち溝部８９の溝幅（屋内外方向の長さ）は、上側部分８４ｂ，８５ｂよりも下側部分８４ａ，８５ａで小さくなっている。具体的には、上側部分８４ｂ，８５ｂにおいて、溝部８９の溝幅Ｌ１は、支持部材８１の屋内外方向の長さＤ２とほぼ同じ大きさとなっている。一方、下側部分８４ａ，８５ａでは、溝部８９の溝幅Ｌ２は、支持部材８１の上下方向の長さＤ１よりも大きく、かつ、屋内外方向の長さＤ２よりも小さくなっている。
【００７２】
被支持部８３は、その溝部８９に支持部材８１を挿入させた状態で、支持部材８１に対して引っ掛け支持されており、これにより、土台水切８０は支持部材８１に装着されている。なお、この装着状態においても、上記実施形態と同様、土台水切８０の水切面３３は外壁材１５の外壁面と略平行となっている。
【００７３】
次に、上記の構成において、土台水切８０を支持部材８１から取り外す際の作業手順を説明する。土台水切８０を取り外す際には、まず、図５（ｂ）に示すように、土台水切８０を、被支持部８３を回動中心として所定角度β屋内側に回動させる。なおここでは、所定角度βが９０°となっている。これにより、被支持部８３の溝部８９の開口が屋内側を向いた状態となり、溝部８９の開口側の溝幅Ｌ２（上下幅）が、支持部材８１の上下高さＤ１よりも大きくなる。また、かかる場合における土台水切８０の状態が傾け状態に相当する。
【００７４】
続いて、土台水切８０を傾け状態のまま屋外側に移動させることにより、被支持部８３を支持部材８１から取り外す。この場合、支持部材８１を溝部８９の開口を通過させながら、土台水切８０を移動させる。これにより、土台水切８０が支持部材８１から取り外され、これをもって取り外し作業が終了する。なお、土台水切８０を支持部材８１に装着する際の手順は、上記取り外し手順と逆の手順であるため、ここでは説明を割愛する。
【００７５】
上記の構成によれば、上記実施形態の場合と同様に、土台水切８０の回動と被支持部８３の取り外しという２段階の動作を経て、土台水切８０を支持部材８１から取り外す構成となっているため、土台水切８０を着脱可能としつつも、土台水切８０への接触により土台水切８０が脱落するのを抑制できる。
【００７６】
また、上記の構成では、上記実施形態の場合とは異なり、土台水切８０の傾き状態において土台水切８０を着脱可能とする構成を外壁材１５を用いずに構築しているため、外壁材１５に対する支持部材８１の設置高さに大きな配慮を払う必要がない。このため、支持部材８１の建物側への取付作業を簡易なものとすることができる。
【００７７】
（３）上記（２）の構成において、装着状態での被支持部８３の対向板部８５の上下高さを外壁材１５の下端と支持部材８１との間の隙間ｈよりも大きくし、傾け状態での対向板部８５の上下高さを上記隙間ｈより小さくしてもよい。この場合、装着状態では、対向板部８５を隙間ｈに挿通させることが不可となり、その結果土台水切８０を支持部材８１から取り外し不能となる。それに対して、傾け状態では、対向板部８５を隙間ｈに挿通可能となり、土台水切８０を支持部材８１から取り外し可能となる。したがって、土台水切８０の傾け状態において被支持部８３を着脱可能とする構成が外壁材１５を用いて実現される。このため、被支持部８３の対向板部８４，８５に段差部８８を設けずに対向板部８４，８５を平板状としたり、支持部材８１の断面を円形形状としたりする等、被支持部８３周辺の構成を簡素化することが可能となる。
【００７８】
（４）上記実施形態では、土台水切２０の被支持部３７の断面形状を縦長の楕円形状としたが、これを変更し、縦長の四角形状等その他の形状としてもよい。また、被支持部を短尺状に形成してもよい。この場合、被支持部を、土台水切２０において各ブラケット２１の配置位置に合わせて設ければよい。
【００７９】
（５）土台水切２０は上記実施形態のものに限定されることはない。例えば、土台水切２０に、傾斜板部２９に代えて、被支持部３７から屋外側に向かって水平方向に延び縦板部２８の上端部につながる水平板部を設けてもよい。
【００８０】
（６）上記実施形態では、土台水切２０において凸状の挿入部３８を係合位置決め部とした場合について説明したが、凹状の係合位置決め部としてもよい。その一例を図６に示す。図６では（ａ）が土台水切の傾け状態を示し、（ｂ）が装着状態を示している。図６に示す土台水切９０の被支持部９２は、その断面形状が、円形形状の一部に平面部を有する形状をなしており、かつ、中空状をなしている。換言すると、被支持部９２は、土台水切９０の長手方向に沿って長尺状をなす平板部９４と、平板部９４の幅方向（短手方向）の端部同士を半円よりも大きい円弧状に繋ぐ円弧板部９５とからなる。円弧板部９５の中間には、上側に開口された凹部９７が土台水切９０の長手方向に沿って設けられている。被支持部９２は、土台水切９０の傾け状態では平板部９４が被支持部９２の底部において水平方向に延びる向きに配置され、その上下高さがＨ３となり、土台水切９０の装着状態では平板部９４が斜めに配置され、その上下高さがＨ３よりも大きいＨ４となる。
【００８１】
一方、支持部材９１は、土台水切９０の被支持部９２を支持するとともに被支持部９２の外周面（詳細にはその延長面を含む）に沿って形成された円弧支持部９８と、円弧支持部９８を下地フレーム１４の下枠部１４ａのはみ出し部１９に固定する固定部（図示略）とを備える。円弧支持部９８は、屋外側に開口して設けられており、その開口高さが傾け状態での被支持部９２の上下高さＨ３よりも大きく、かつ装着状態での被支持部９２の上下高さＨ４よりも小さくなっている。円弧支持部９８において、周方向の一端部（上端部でもある）には凸部９９が設けられている。凸部９９は、被支持部９２の凹部９７に入り込んでおり、これにより、凹部９７が支持部材９１に係合されている。
【００８２】
上記の構成において、土台水切９０の被支持部９２を支持部材９１に装着する際には、まず図６（ａ）に示すように、土台水切９０を傾け状態として被支持部９２を支持部材９１の円弧支持部９８の内側に同支持部９８の開口を通じて挿し入れ、円弧支持部９８により支持される支持状態とする。次に、図６（ｂ）に示すように、その支持状態において土台水切９０を被支持部９２を回動中心として屋外側に回動させ、土台水切９０を装着状態とする。この場合、被支持部９２の凹部９７が円弧支持部９８の凸部９９に入り込んで係合されるまで土台水切９０を回動させる。この係合される回動位置にて土台水切９０が装着状態とされるため、かかる構成においても、所定の回動位置を越えて回動する等の不都合を防止できる。したがって、土台水切９０を支持部材９１に装着する作業を好適に行える。
【００８３】
（７）本発明を適用する建物は、ユニット式建物に限定することはなく、鉄骨軸組工法により構築される建物や、在来木造工法により構築される建物等、その他の建物であってもよい。要は、外壁材１５の背面側に外壁下地が予め組み付けられてなる外壁パネル１３を備える建物であればよい。したがって、外壁下地も上記実施形態のように溝形鋼の下地フレーム１４でなくてもよく、木材からなる外壁下地などであってもよい。
【符号の説明】
【００８４】
１１…基礎、１３…外壁パネル、１４…外壁下地材としての下地フレーム、１５…外壁材、２０…水切部材としての土台水切、２１…支持部材としてのブラケット、２３…対向面部としての鉛直板部、２５…立ち上がり部及び対向面部としての立ち上がり板部、２６…収容凹部としての溝部、２８…縦板部、３３…水切面、３７…被支持部、３８…係合位置決め部としての挿入部、３９…凹部、５１…水受け部材、５７…水受け面、８０…水切部材としての土台水切、８１…支持部材。
【図１】
0005711980.tif 000002
【図２】
0005711980.tif 000003
【図３】
0005711980.tif 000004
【図４】
0005711980.tif 000005
【図５】
0005711980.tif 000006
【図６】
0005711980.tif 000007